(57)【要約】  膜材、バックライトモジュール及び表示装置を提供する。該膜材は、板状構造を有する第１本体（１０）と、第１本体（１０）が位置する平面内において第１本体（１０）のエッジから突出する突出部（２０）と、及び突出部（２０）の１つの表面に交差する位置決め構造（３０）とを備え、位置決め構造（３０）は第２本体（３０１）及び１つ又は複数の開口（３０２）を備え、第２本体（３０１）は阻止部（３０１１）及び接続部（３０１２）を備え、阻止部（３０１１）は接続部（３０１２）によって突出部（２０）に接続され、１つ又は複数の開口（３０２）は阻止部（３０１１）と突出部（２０）の間に設けられる。該膜材によれば、光学膜材のずれによるバックライトモジュールの構造不具合、画面不具合を低減させ、バックライトの構造安定性及び品質を向上させる。
2019526883.tif 000002
【特許請求の範囲】
【請求項１】
板状構造を有する第１本体と、前記第１本体が位置する平面内において前記第１本体のエッジから突出する突出部と、及び前記突出部の１つの表面に交差する位置決め構造とを備える膜材であって、
前記位置決め構造は第２本体及び１つ又は複数の開口を備え、前記第２本体は阻止部及び接続部を備え、前記阻止部は前記接続部によって前記突出部に接続され、前記１つ又は複数の開口は前記阻止部と前記突出部の間に設けられる膜材。
【請求項２】
前記１つ又は複数の開口の前記突出部に近いエッジが前記突出部の前記表面と面一である請求項１に記載の膜材。
【請求項３】
前記位置決め構造と前記突出部の交差線の方向に、前記１つ又は複数の開口の長さが前記位置決め構造の長さの１／２−２／３である請求項１又は２に記載の膜材。
【請求項４】
前記位置決め構造は、前記位置決め構造と前記突出部の交差線の方向に順に配列される複数の開口を有する請求項１から３のいずれか一項に記載の膜材。
【請求項５】
前記接続部の表面は平面である請求項１から４のいずれか一項に記載の膜材。
【請求項６】
前記接続部と前記突出部の夾角が約９０度である請求項５に記載の膜材。
【請求項７】
前記阻止部と前記接続部の夾角が約９０度又は１８０度である請求項６に記載の膜材。
【請求項８】
前記阻止部と前記接続部の夾角が約９０度であり、且つ前記阻止部と前記突出部がそれぞれ前記接続部が位置する平面の両側に位置する請求項７に記載の膜材。
【請求項９】
前記突出部は、前記位置決め構造の１つ又は複数の開口と連通する１つ又は複数の開口を有する請求項１から８のいずれか一項に記載の膜材。
【請求項１０】
前記阻止部は、前記接続部を介して前記突出部に接続され、前記接続部との夾角が約１８０度である第１阻止部、及び前記第１阻止部との夾角が約９０度である第２阻止部を備える請求項１から９のいずれか一項に記載の膜材。
【請求項１１】
前記接続部は、前記突出部に近い第１接続部及び前記阻止部に近い第２接続部を備え、前記第１接続部と前記第２接続部が交差し、前記第１接続部と前記第２接続部が板状構造を有し、前記第１接続部と前記第２接続部の夾角が約９０度、前記阻止部と前記第２接続部の夾角が約１８０度、前記第１接続部と前記突出部の夾角が約９０度である請求項１から９のいずれか一項に記載の膜材。
【請求項１２】
前記接続部は前記突出部と交差して平面を有する第１部分を有し、前記第１部分と前記突出部の夾角が０度を超え１８０度未満である請求項１から４のいずれか一項に記載の膜材。
【請求項１３】
前記第１部分と前記突出部の夾角が約９０度である請求項１２に記載の膜材。
【請求項１４】
前記膜材は拡散板である請求項１から１３のいずれか一項に記載の膜材。
【請求項１５】
請求項１から１４のいずれか一項に記載の膜材を備えるバックライトモジュール。
【請求項１６】
フレームをさらに備え、前記フレームは前記フレームの内側に位置し前記フレームの本体の方向に凹んだ溝を有し、前記膜材は前記フレーム内に設置され、前記膜材の前記突出部は前記フレームの前記溝内に設置されて前記膜材を位置決めする請求項１５に記載のバックライトモジュール。
【請求項１７】
第２膜材をさらに備え、前記第２膜材は、板状構造を有する本体と、及び前記第２膜材の本体が位置する平面内において前記第２膜材の本体のエッジから突出する突出部とを備え、前記第２膜材の突出部は前記位置決め構造の１つ又は複数の開口を通過して前記第２膜材を位置決めする請求項１５又は１６に記載のバックライトモジュール。
【請求項１８】
前記第２膜材の突出部は、前記第２膜材の本体に近い第１突出部、及び前記第１突出部の前記第２膜材の本体から離れたエッジから突出する１つ又は複数の第２突出部を備え、前記第２突出部は前記位置決め構造の１つ又は複数の開口を通過する請求項１７に記載のバックライトモジュール。
【請求項１９】
前記フレームの溝と前記フレームの外側の間に、前記フレームは前記溝の両端から前記溝の中部に突出する２つの突出部を備え、前記２つの突出部は前記フレームの延伸方向に相互に間隔をあけており、前記第１膜材の阻止部の少なくとも一部が前記２つの突出部に当接される請求項１８に記載のバックライトモジュール。
【請求項２０】
請求項１５から１９のいずれか一項に記載のバックライトモジュールを備える表示装置。
【発明の詳細な説明】
【技術分野】
【０００１】
本開示の少なくとも１つの実施例は膜材、バックライトモジュール及び表示装置に関する。
【背景技術】
【０００２】
液晶ディスプレイ（Ｌｉｑｕｉｄ  Ｃｒｙｓｔａｌ  Ｄｉｓｐｌａｙ）は主に液晶パネル及びバックライトを備える。バックライトは光源の種類に応じて主にＬＥＤ（Ｌｉｇｈｔ  Ｅｍｉｔｔｉｎｇ  Ｄｉｏｄｅ、発光ダイオード、ＬＥＤと略称する）バックライト及びＣＣＦＬ（Ｃｏｌｄ  Ｃａｔｈｏｄｅ  Ｆｌｕｏｒｅｓｃｅｎｔ  Ｌａｍｐ、冷陰極蛍光ランプ、ＣＣＦＬと略称する）バックライトに分けられ、寸法の種類に応じて主にＭｏｂｉｌｅ、Ｔａｂｌｅｔ、Ｎｏｔｅｂｏｏｋ、Ｍｏｎｉｔｏｒ、ＴＶ等に分けられる。近年、液晶ディスプレイは急速に発展している。
【発明の概要】
【発明が解決しようとする課題】
【０００３】
本開示の少なくとも１つの実施例は膜材、バックライトモジュール及び表示装置に関し、光学膜材のずれによるバックライトモジュールの構造不具合、画面不具合を低減させ、バックライトの構造安定性及び品質を向上させる。
【課題を解決するための手段】
【０００４】
本開示の一実施例は、板状構造を有する第１本体と、前記第１本体が位置する平面内において前記第１本体のエッジから突出する突出部と、及び前記突出部の１つの表面に交差する位置決め構造とを備え、前記位置決め構造は第２本体及び１つ又は複数の開口を備え、前記第２本体は阻止部及び接続部を備え、前記阻止部は前記接続部によって前記突出部に接続され、前記１つ又は複数の開口は前記阻止部と前記突出部の間に設けられる膜材を提供する。
【０００５】
いくつかの例では、前記１つ又は複数の開口の前記突出部に近いエッジが前記突出部の前記表面と面一である。
【０００６】
いくつかの例では、前記位置決め構造と前記突出部の交差線の方向に、前記１つ又は複数の開口の長さが前記位置決め構造の長さの１／２−２／３である。
【０００７】
いくつかの例では、前記位置決め構造は、前記位置決め構造と前記突出部の交差線の方向に順に配列される複数の開口を有する。
【０００８】
いくつかの例では、前記接続部の表面は平面である。
【０００９】
いくつかの例では、前記接続部と前記突出部の夾角が約９０度である。
【００１０】
いくつかの例では、前記阻止部と前記接続部の夾角が約９０度又は１８０度である。
【００１１】
いくつかの例では、前記阻止部と前記接続部の夾角が約９０度であり、且つ前記阻止部と前記突出部がそれぞれ前記接続部が位置する平面の両側に位置する。
【００１２】
いくつかの例では、前記突出部は、前記位置決め構造の１つ又は複数の開口と連通する１つ又は複数の開口を有する。
【００１３】
いくつかの例では、前記阻止部は、前記接続部を介して前記突出部に接続され前記接続部との夾角が約１８０度である第１阻止部、及び前記第１阻止部との夾角が約９０度である第２阻止部を備える。
【００１４】
いくつかの例では、前記接続部は、前記突出部に近い第１接続部及び前記阻止部に近い第２接続部を備え、前記第１接続部と前記第２接続部が交差し、前記第１接続部と前記第２接続部が板状構造を有し、前記第１接続部と前記第２接続部の夾角が約９０度、前記阻止部と前記第２接続部の夾角が約１８０度、前記第１接続部と前記突出部の夾角が約９０度である。
【００１５】
いくつかの例では、前記接続部は前記突出部と交差して平面を有する第１部分を有し、前記第１部分と前記突出部の夾角が０度を超え１８０度未満である。
【００１６】
いくつかの例では、前記第１部分と前記突出部の夾角が約９０度である。
【００１７】
いくつかの例では、前記膜材は拡散板である。
【００１８】
本開示の少なくとも１つの実施例は、本開示の実施例のいずれかに記載の膜材を備えるバックライトモジュールをさらに提供する。
【００１９】
いくつかの例では、前記バックライトモジュールはフレームをさらに備え、前記フレームは前記フレームの内側に位置し前記フレーム本体の方向に凹んだ溝を有し、前記膜材は前記フレーム内に設置され、前記膜材の前記突出部は前記フレームの前記溝内に設置されて前記膜材を位置決めする。
【００２０】
いくつかの例では、前記バックライトモジュールは第２膜材をさらに備え、前記第２膜材は、板状構造を有する本体と、及び前記第２膜材の本体が位置する平面内において前記第２膜材の本体のエッジから突出する突出部とを備え、前記第２膜材の突出部は前記位置決め構造の１つ又は複数の開口を通過して前記第２膜材を位置決めする。
【００２１】
いくつかの例では、前記第２膜材の突出部は、前記第２膜材の本体に近い第１突出部、及び前記第１突出部の前記第２膜材の本体から離れたエッジから突出する１つ又は複数の第２突出部を備え、前記第２突出部は前記位置決め構造の１つ又は複数の開口を通過する。
【００２２】
いくつかの例では、前記フレームの溝と前記フレームの外側の間に、前記フレームは前記溝の両端から前記溝の中部に突出する２つの突出部を備え、前記２つの突出部は前記フレームの延伸方向に相互に間隔を開けており、前記第１膜材の阻止部の少なくとも一部が前記２つの突出部に当接される。
【００２３】
本開示の少なくとも１つの実施例は、本開示の実施例のいずれかに記載のバックライトモジュールを備える表示装置をさらに提供する。
【００２４】
本開示の実施例の技術案をより明確に説明するために、以下、実施例の図面を簡単に説明し、勿論、後述する図面は本開示のいくつかの実施例に関し、本開示を限定するものではない。
【図面の簡単な説明】
【００２５】
【図１】図１はバックライトモジュールの構造模式図である。
【図２】図２はバックライトモジュールのフレームと拡散板の組合せの模式図である。
【図３ａ】図３ａはバックライトモジュールの膜材固定テープで膜材を固定する模式図である。
【図３ｂ】図３ｂはバックライトモジュールの膜材固定テープが拡散板の位置決め翼に位置する模式図である。
【図４ａ】図４ａは本開示の実施例１に係る膜材の模式図である。
【図４ｂ】図４ｂは本開示の実施例１に係る位置決めされた膜材（第２膜材）の模式図である。
【図５】図５は本開示の実施例２に係る膜材の模式図である。
【図６ａ】図６ａは本開示の実施例３に係る膜材の模式図である。
【図６ｂ】図６ｂは本開示の実施例３に係る膜材の模式図である。
【図７】図７は本開示の実施例４に係る膜材の模式図である。
【図８】図８は本開示の実施例５に係る膜材の模式図である。
【図９】図９は本開示の実施例６に係る膜材の模式図である。
【図１０】図１０は本開示の実施例７に係る膜材の模式図である。
【図１１ａ】図１１ａは本開示の実施例８に係る膜材の模式図である。
【図１１ｂ】図１１ｂは本開示の実施例８に係る位置決めされた膜材（第２膜材）の模式図である。
【図１１ｃ】図１１ｃは本開示の実施例８に係る別の膜材の模式図である。
【図１１ｄ】図１１ｄは本開示の実施例８に係る別の膜材の模式図である。
【図１２】図１２は本開示の実施例９に係る膜材の模式図である。
【図１３】図１３は本開示の実施例１０に係る膜材の模式図である。
【図１４】図１４は本開示の実施例１１に係るバックライトモジュールの模式図である。
【図１５】図１５は本開示の実施例１１に係るバックライトモジュールの正面図である。
【図１６】図１６は本開示の実施例１１に係る別のバックライトモジュールの模式図である。
【図１７】図１７は本開示の実施例１１に係る別のバックライトモジュールの正面図である。
【図１８】図１８は本開示の実施例１１に係る別のバックライトモジュールの膜材位置決め模式図である。
【発明を実施するための形態】
【００２６】
本開示の実施例の目的、技術案及び利点をより明確にするために、以下、本開示の実施例の図面を参照して、本開示の実施例の技術案を明確かつ完全に説明する。勿論、説明する実施例は本開示の一部の実施例であり、すべての実施例ではない。説明した本開示の実施例に基づき、当業者が創造的な労働を必要とせずに想到し得るほかの実施例はすべて、本開示の保護範囲に属する。
【００２７】
特に定義しない限り、本開示に使用される技術用語又は科学用語は、当業者が理解する一般的な意味である。本開示に使用される「第１」、「第２」及び類似する用語は順番、数又は重要性を示すのではなく、異なる構成要素を区別するものに過ぎない。「含む」又は「備える」などのような用語は該用語前に現れた素子又はデバイスが該用語後に挙げられた素子又はデバイス及びその同等物を含み、且つほかの素子又はデバイを排除しないことを意味する。「接続」又は「連結」などのような用語は物理的又は機械的接続に限定されず、直接か間接に関わらず電気的接続を含む。「上方」、「下方」、「左方」、「右方」等は相対位置関係を示すものに過ぎず、説明する対象の絶対位置が変わると、該相対位置関係も変わる。
【００２８】
図１は、一般的なノートブック（Ｎｏｔｅｂｏｏｋ、ＮＢ）型バックライトの膜材固定位置での断面模式図を示し、フレーム０２がバックパネル０１内に配置され、バックパネル０１内のフレーム０２に画定された領域内において、バックパネル０１の底面に接近／離間する方向に、反射板０３、導光板０４、拡散板０５及び輝度向上板０６が順に設置され、膜材固定テープ０７が膜材を固定する。輝度向上板０６は拡散板０５上に順に配置される第１輝度向上板及び第２輝度向上板を含むが、拡散板上に配置された光学フィルムの数はそれに限定されず、たとえば、１つ又は２つ以上であってもよく、本開示の実施例では、それについて限定しない。
【００２９】
図２は、ＮＢ型バックライト膜材の位置決め位置での組立及び構造の模式図を示す。フレーム０２は溝（切欠き）０２１１を備え、拡散板０５は板状構造を有する本体０５１、及び本体０５１が位置する平面において本体０５１のエッジから本体０５１に対して突出する突出部０５２を備え、拡散板０５の材質はたとえばＰＥＴを含むが、それに限定されない。反射板０３、導光板０４、フレーム０２、バックパネル０１を組み合わせて半製品を得た後、拡散板０５をフレーム０２内に入れるとともに、拡散板０５の突出部０５２（位置決め翼とも呼ばれる）をフレーム０２の溝０２１１内に入れ、さらに順に輝度向上板０６（輝度向上板０６は第１輝度向上板０６１及び第２輝度向上板０６２を含む）を拡散板０５上に積層し、さらに膜材固定テープ０７を用いてすべての光学膜材をフレーム０２の溝０２１１の構造と合わせて固定する。
【００３０】
完全にピンニングした後に高温条件で拡散板０５の膨張特性によってシートしわ（ｓｈｅｅｔ  ｗｒｉｎｋｌｅ）が生じやすいため、膜材は位置決め翼での位置において膜材固定テープ０７により完全に接着されることができなく、従って、膜材固定テープ構造を設置する際にこのリスクを回避するようにする。図３ａは一般的なＮＢ型バックライトの膜材固定テープ位置での部分拡大図を示す。図３ａでは、両端の矢印位置は膜材固定テープ０７の接着剤あり領域０７２、２つの矢印間の位置決め翼に対応した部分は接着剤無し領域０７１である。フレーム０２の溝構造は、組立完了後、溝の深さが輝度向上板０６の上表面より約０．０５−０．１ｍｍだけ高く、接着剤の接着面積に限りがあり、さらに搬送過程での揺れのため、膜材固定テープ０７の粘着力が失効しやすい。それによって、膜材がずれて液晶ディスプレイの局所位置の厚さが規格を超えてしまう。印刷ブラックバンドを有する拡散板のモジュールは、ブラックバンドがずれてエッジでの画素点を遮ってライン欠如の画面不具合が生じやすく、製品の品質を確保し難く、従ってこの問題を解決しなければならない。
【００３１】
図３ｂの膜材固定テープ０７の裏面構造模式図に示すように、膜材固定テープ０７の接着剤はテープの２つの端部（図中の網掛け部分）のみに存在し、中間位置（膜材位置決め翼の位置と重畳する領域）に接着剤がないことにより、高温条件下で、光学膜材は位置決め翼位置で自由に膨張でき、シートしわ（ｓｈｅｅｔ  ｗｒｉｎｋｌｅ）による画面不具合の現象が発生することがない。
【００３２】
本開示の少なくとも１つの実施例は、板状構造を有する第１本体と、第１本体が位置する平面内において第１本体のエッジから突出する突出部と、及び突出部の１つの表面に交差する位置決め構造とを備え、位置決め構造は第２本体及び１つ又は複数の開口を備え、第２本体は阻止部及び接続部を備え、阻止部は接続部によって突出部に接続され、１つ又は複数の開口は阻止部と突出部の間に設けられる膜材を提供する。
【００３３】
本開示の少なくとも一実施例に係る膜材によれば、バックライトモジュールの光学膜材のずれによる構造不具合（たとえば、局所の厚さが規格を超える）、画面不具合（たとえば、周辺ライン欠如）を効果的に低減させ、バックライトの構造安定性及び品質を向上させることができる。
【００３４】
以下、いくつかの実施例を参照して詳細に説明する。
（実施例１）
【００３５】
図４ａに示すように、本実施例は、板状構造を有する第１本体１０と、第１本体１０が位置する平面内において第１本体１０のエッジから突出する突出部２０と、及び突出部２０の１つの表面に交差する置決め構造３０とを備え、位置決め構造３０は第２本体３０１及び開口３０２を備え、第２本体３０１は阻止部３０１１及び接続部３０１２を備え、阻止部３０１１は接続部３０１２によって突出部２０に接続され、開口３０２は阻止部３０１１と突出部２０の間に設けられる膜材１を提供する。図４ａでは、１つの開口が設けられることを例として説明したが、それに限定されず、複数の開口３０２が設けられてもよい。たとえば、開口３０２は矩形、円形等の規則的な形状の孔又はキャビティーであるが、それに限定されない。たとえば、上記１つ又は複数の開口３０２の境界は第２本体３０１と突出部２０に画定される。ＡとＢが交差することは、たとえばＡとＢが０度を超え１８０度未満の夾角を有する。
【００３６】
たとえば、開口３０２は位置決め構造３０において「戸口」構造が形成されることにより、「戸口」構造でほかの膜材を位置決めし、少なくとも１種の膜材を「戸口」構造によって相互に位置決めするようにする。それにより、少なくとも１種の光学膜材のずれ、又は互いに対するずれを回避し、構造不具合、画面不具合を回避し、バックライトの構造安定性及び品質を向上させる。
【００３７】
膜材１は第２膜材（位置決めされた膜材）２を位置決めし、位置決めされた第２膜材２は膜材１の開口形態（開口形態はたとえば開口の数、形状等を含む）に応じて、膜材１とマッチングするように第２突出部の形態を決定する。たとえば、図４ｂに示すように、第２膜材は、板状構造を有する本体５０と、第２膜材２の本体５０が位置する平面内において第２膜材２の本体５０のエッジから突出する第１突出部６０と、及び第１突出部６０が位置する平面内において第１突出部６０のエッジから突出する第２突出部７０とを備える。第２突出部７０は、開口３０２を通過して第２膜材２を位置決めする。たとえば、位置決め構造３０と突出部２０の交差線３２１（図４ａ参照）の方向に、第２突出部７０の長さが開口３０２の長さ未満であることで、第２突出部７０が開口３０２を容易に通過でき、たとえば、第２突出部７０の長さが開口３０２の長さより約０．５ｍｍ小さいが、それに限定されない。たとえば、開口３０２の高さは第２膜材２の厚さより大きい必要があり、第２膜材２の厚さに応じて変化できる。たとえば、開口３０２の高さは０．３ｍｍ−０．５ｍｍであるが、それに限定されない。つまり、第２膜材２の突出部は前記第２膜材の本体に近い第１突出部６０、及び第１突出部６０の第２膜材２の本体５０から離れたエッジから突出する第２突出部７０を備え、且つ第２突出部７０は位置決め構造の開口３０２を通過する。たとえば、第２突出部７０の数は開口３０２の数と一致し、図４ｂは１つの第２突出部の場合を示すが、後述する図１１ｂは複数の第２突出部の場合を示す。
【００３８】
たとえば、第２膜材を「戸口」構造に容易に挿入し膜材１と第２膜材２の表面を密着させるために、図４ａに示すように、開口３０２の突出部２０に近いエッジは突出部２０の表面と面一である。それにより、位置決めされた第２膜材２の下表面を膜材１の上表面に平坦に配置できる。それにより、上記１つ又は複数の開口３０２の境界が阻止部３０１１、接続部３０１２及び突出部２０に画定される。
【００３９】
たとえば、図４ａに示すように、位置決め構造３０と突出部２０の交差線３２１の方向に、開口３０２の長さが位置決め構造３０の長さの１／２−２／３である。位置決め構造３０が複数の開口を有する場合、位置決め構造３０と突出部２０の交差線３２１の方向に、複数の開口３０２の長さが位置決め構造３０の長さの１／２−２／３である。複数の開口の長さとは複数の開口の全長であり、つまり、各開口の長さの和である。
【００４０】
たとえば、図４ａに示すように、接続部３０１２の表面が平面であり、接続部３０１２と突出部２０の夾角が約９０度（直角）であり、阻止部３０１１と接続部３０１２の夾角が約１８０度（平角）である。なお、図４ａでは、それを例として説明するが、接続部３０１２の表面が平面でなくてもよく、接続部３０１２と突出部２０の夾角が直角でなくてもよく、阻止部３０１１と接続部３０１２の夾角が１８０度でなくてもよい。
【００４１】
たとえば、膜材１は拡散板であるが、それに限定されない。たとえば、第２膜材２は輝度向上板であるが、それに限定されない。たとえば、膜材１は第１輝度向上板、第２膜材２は第２輝度向上板である。
【００４２】
たとえば、第１本体１０、突出部２０及び第２本体３０１は一体成形される。それにより、膜材１の製作に寄与するが、一体成形に限定されない。例えば、第１本体１０、突出部２０及び第２本体３０１のうちの少なくとも２つの部材が着脱可能に接続されてもよく、このように、膜材のメンテナンスが容易になり、故障が発生した第１本体１０、突出部２０、第２本体３０１の一部又は全体のみを交換すればよく、膜材全体を交換せずに済む。
（実施例２）
【００４３】
図５に示すように、本実施例は、実施例１に比べて、阻止部３０１１と接続部３０１２の夾角が約９０度である。阻止部３０１１と接続部３０１２が互いに直交し、更に阻止部３０１１の一部の表面がフレーム０２に当接されることで、フレームの支持により膜材の位置決めがより安定し、フレームに対するずれが発生し難い。たとえば、阻止部３０１１と突出部２０は接続部３０１２が位置する平面の両側に設置される。
（実施例３）
【００４４】
図６ａに示すように、本実施例は、実施例２に比べて、阻止部３０１１が開口３０１１０を備え、阻止部３０１１の開口３０１１０が位置決め構造３０の開口３０２と連通する。それにより、材料を節約し、位置決め構造の開口空間を増加させ、第２膜材の挿入に有利である。
【００４５】
本実施例では、開口３０１１０と開口３０２を１つの開口、すなわち位置決め構造の開口３０２として見なしてもよい。たとえば、図６ｂに示すように、接続部３０１２は突出部２０に近い第１接続部３０１２１及び阻止部３０１１に近い第２接続部３０１２２を備え、第１接続部３０１２１と第２接続部３０１２２が交差し、第１接続部３０１２１と第２接続部３０１２２が板状構造を有し、第１接続部３０１２１と第２接続部３０１２２の夾角が直角であり、阻止部３０１１と第２接続部３０１２２の夾角が約１８０度であり、第１接続部３０１２１と突出部２０の夾角が約９０度である。本実施例では、接続部３０１２の表面は平面ではない。
【００４６】
たとえば、図６ａ、６ｂに示すように、接続部３０１２は突出部２０と交差して平面を有する第１部分（第１接続部３０１２１）を有し、第１部分と突出部２０の夾角が０度を超え１８０度未満である。たとえば、第１部分と突出部２０の夾角が約９０度である。
（実施例４）
【００４７】
図７に示すように、本実施例は、実施例３に比べて、突出部２０が開口２００をさらに備え、突出部２０の開口２００が位置決め構造３０の開口３０２と連通し、それにより、阻止部３０１１の開口３０１１０、位置決め構造３０の開口３０２及び突出部２０の開口２００が連通する。それにより、材料を更に節約し、位置決め構造の開口空間を更に増加させ、第２膜材の挿入に更に有利である。
【００４８】
なお、位置決め構造３０が複数の開口３０２を有する場合、突出部２０は１つの開口２００を有してもよく、突出部２０の開口２００が位置決め構造３０の複数の開口３０２と連通する。位置決め構造３０が複数の開口３０２を有する場合、突出部２０は複数の開口２００を有してもよく、突出部の複数の開口２００が位置決め構造３０の複数の開口３０２に一対一対応して貫通する。本開示の実施例では、それについて限定しない。
（実施例５）
【００４９】
図８に示すように、本実施例は、実施例１に比べて、阻止部３０１１が第１阻止部３０１１１及び第２阻止部３０１１２を備える。第１阻止部３０１１１が接続部３０１２を介して突出部２０に接続され、第１阻止部３０１１１と接続部３０１２の夾角が約１８０度、第２阻止部３０１１２と第１阻止部３０１１１の夾角が約９０度である。阻止部３０１１が互相に垂直な第１阻止部３０１１１と第２阻止部３０１１２を備えるように設置することで、位置決めされた膜材の被位置決め箇所（位置決め翼箇所）での可動空間を増加させ、第２膜材の固定を損なわずに、シートしわ（ｓｈｅｅｔ  ｗｒｉｎｋｌｅ）不具合を軽減させる。
（実施例６）
【００５０】
図９に示すように、本実施例は、実施例５に比べて、突出部２０が開口２００をさらに備え、突出部２０の開口２００が位置決め構造３０の開口３０２と連通し、それにより、材料を節約し、位置決め構造の開口空間を増加させ、第２膜材の挿入に有利である。
（実施例７）
【００５１】
図１０に示すように、本実施例は、実施例１に比べて、突出部２０が開口２００をさらに備え、突出部２０の開口２００が位置決め構造３０の開口３０２と連通し、それにより、材料を節約し、位置決め構造の開口空間を増加させ、第２膜材の挿入に有利である。
（実施例８）
【００５２】
図１１ａに示すように、本実施例は、実施例１に比べて、位置決め構造３０が複数の開口３０２を備え、図１１ａでは開口３０２１、開口３０２２の２つの開口を備えることを例として説明したが、２つの以上の開口を備えてもよく、本実施例ではそれについて限定しない。
【００５３】
たとえば、複数の開口３０２は位置決め構造３０と突出部２０の交差線の方向に順に配列される。
【００５４】
たとえば、各開口３０２の突出部２０に近いエッジは突出部２０の表面と面一である。
【００５５】
たとえば、位置決め構造３０と突出部２０の交差線の方向に、複数の開口３０２の長さは位置決め構造３０の長さの１／２−２／３である。
【００５６】
たとえば、図１１ｃ及び図１１ｄに示すように、突出部２０は１つ又は複数の開口２００を有し、突出部２０の１つ又は複数の開口２００は位置決め構造３０の１つ又は複数の開口３０２と連通する。図１１ｃでは、突出部２０は複数の開口３０２を有し、突出部２０の複数の開口２００は位置決め構造３０の複数の開口３０２と一対一対応して貫通する。たとえば、図１１ｃでは、位置決め構造３０の開口３０２１は突出部２０の開口２００１に対応して貫通し、位置決め構造３０の開口３０２２は突出部２０の開口２００２に対応して貫通する。図１１ｄでは、突出部２０は１つの開口２００を有し、突出部２０の開口２００は位置決め構造３０の複数の開口３０２と連通する。
【００５７】
図１１ｂに示すように、第２突出部７０は突出部分７０１、突出部分７０２の２つの突出部分を備え、開口３０２１、開口３０２２にマッチングする。
（実施例９）
【００５８】
図１２に示すように、本実施例は、実施例１に比べて、位置決め構造３０が複数の開口３０２を備え、密閉した開口以外、密閉していない開口を備えてもよい。図１２の中間にある開口３０２２、開口３０２３は密閉した開口、両端にある開口３０２１、開口３０２４は密閉していない開口である。密閉していない開口を設置することで、膜材１とフレームのマッチングに有利である。
（実施例１０）
【００５９】
図１３に示すように、本実施例は、実施例１に比べて、位置決め構造３０が２つの開口３０２を備え、開口３０２１、開口３０２２はいずれも密閉していない開口であってもよい。
【００６０】
このように、本開示の実施例では、位置決め構造３０に備えられた開口は全て密閉したものであってもよく、全て密閉していないものであってもよく、密閉した開口及び密閉していない開口の両方を有してもよい。開口が第２本体３０１と嵌合して第２膜材２を位置決めできればよい。開口の形態について限定しない。
【００６１】
本開示の上記膜材１はほかの膜材と嵌合して位置決めする任意の膜材であってもよい。例えばバックライトモジュールの光学膜材であってもよい。
（実施例１１）
【００６２】
本実施例は、少なくとも複数の光学膜材を備えるバックライトモジュールを提供し、少なくとも１つの光学膜材は上記実施例のいずれかに記載の膜材１である。たとえば、一例では、バックライトモジュールは実施例１に記載の膜材１（図４ａ参照）及び位置決めされた第２膜材２（図４ｂ参照）を備える。膜材１と第２膜材２はいずれも光学膜材である。図１４に示すように、バックライトモジュールはフレーム０２をさらに備え、フレーム０２はフレーム０２の内側に位置しフレーム本体０２１の方向に凹んだ溝０２１１を有し、膜材１はフレーム０２内に設置され、膜材１の突出部２０はフレーム０２の溝０２１１内に設置されて膜材１を位置決めする。位置決めされた膜材（第２膜材２）は１つ又は複数であってもよく、本実施例では、それについて限定しない。第２膜材２の第２突出部は第１膜材１の位置決め構造の開口を通過してもよく、第２膜材２の第１突出部は上記フレーム０２の溝０２１１内に設置されてもよい。本例の正面図は図１５に示される。バックライトモジュールはバックパネル０１、反射板０３、導光板０４、膜材固定テープ０７をさらに備え、バックパネル０１、反射板０３、導光板０４、膜材固定テープ０７について、図１の説明を参照する。たとえば、膜材１は導光板０４上に設置され且つ導光板０４に接触し、膜材１上に設置されたほかの光学膜材は第２膜材２として膜材１により位置決めされ、それによりバックライトモジュールの導光板０４上の膜材を良好に位置決めして、光学膜材のずれに起因する構造不具合、画面不具合を回避し、バックライトの構造安定性及び品質を向上させる。たとえば、膜材１は拡散板、第２膜材２は輝度向上板であり、第２膜材は第１輝度向上板及び第２輝度向上板を含むが、それに限定されない。たとえば、第２膜材２は別の拡散板及び輝度向上板を含み、本実施例では、位置決めされた膜材の光学作用を限定しない。
【００６３】
上記例と異なる別の例では、図１６に示すように、バックライトモジュールは実施例５に記載の膜材１（図８参照）を備える。本例の正面図は図１７に示される。
【００６４】
図１６に示すように、フレーム０２の溝０２１１とフレーム０２の外側の間に、フレーム０２は溝０２１１の両端から溝０２１１の中部に突出する２つの突出部０２１２を備え、２つの突出部０２１２はフレーム０２の延伸方向に間隔を開けている。第１膜材を取り付ける際に、第１膜材１の位置決め構造３０の阻止部３０１１の少なくとも一部は２つの突出部０２１２に当接される（図１８参照）。また、第２膜材２の第２突出部は第１膜材１の位置決め構造の開口を通過できるため、第２膜材２の第２突出部も２つの突出部０２１２の間の間隔内に伸び込むことができる。
【００６５】
図１８に示すように、膜材１の組立完了後、第２膜材２は位置決め翼の位置で図４ｂの前記第２突出部７０を利用して開口構造に挿入され、さらに膜材固定テープ０７によって固定される。「戸口」構造により移動が制限されるため、搬送過程又は組立過程で、膜材１上の第２膜材２等の被位置決め膜材は位置決め溝外に脱出することがなく、また、該構造の制限によって、接着剤無し領域が下方の第２膜材２等の被位置決め光学膜材に垂直方向に押出される確率を大幅に低減させ、膜材固定テープの固定作用を確保する。
（実施例１２）
【００６６】
本実施例は、上記実施例１１に係るバックライトモジュールを備える表示装置を提供する。表示装置はバックライトモジュールがバックライトを提供することを必要とする任意の表示装置であってもよい。たとえば、表示装置は液晶ディスプレイ、電子ペーパー、ＯＬＥＤ（Ｏｒｇａｎｉｃ  Ｌｉｇｈｔ−Ｅｍｉｔｔｉｎｇ  Ｄｉｏｄｅ、有機発光ダイオード）ディスプレイ等の表示装置、及びこれらの表示装置を備えたテレビ、デジタルカメラ、携帯電話、腕時計、タブレットＰＣ、ノートパソコン、ナビゲータ等の表示機能を有する任意の製品又は部材である。
【００６７】
なお、次の点に注意すべきである。
【００６８】
（１）特に定義しない限り、本開示の実施例及び図面では、同じ符号は同じ意味を示す。
【００６９】
（２）本開示の実施例の図面は、本開示の実施例に係る構造のみが示され、ほかの構造は通常設計を参照すればよい。
【００７０】
（３）明瞭にするために、本開示の実施例を説明するための図面では、層又は領域の厚さが拡大される。層、膜、領域又は基板のような素子が別の素子「上」又は「下」に位置するとは、該素子が別の素子の「上」又は「下」に「直接」位置してもよく、中間素子を設けてもよいと理解できる。
【００７１】
（４）矛盾しない場合、本開示の同一実施例及び異なる実施例の特徴を相互に組み合わせることができる。
【００７２】
以上、本開示の実施形態を説明したが、本開示の保護範囲はそれに限定されず、当業者が本開示の技術的範囲内を逸脱せずに容易に想到し得る変更や置換はすべて本開示の保護範囲に属する。従って、本開示の保護範囲は前記特許請求の範囲の保護範囲に準じるべきである。
【００７３】
本願は２０１６年８月２３日に提出した中国特許出願第２０１６１０７１１５９０．８号の優先権を主張し、ここで上記中国特許出願の開示した全内容は援用により本願の一部として組み込まれる。
【符号の説明】
【００７４】
０１    バックパネル
０２    フレーム
０３    反射板
０４    導光板
０５    拡散板
０６    輝度向上板
【図１】
2019526883.tif 000003
【図２】
2019526883.tif 000004
【図３ａ】
2019526883.tif 000005
【図３ｂ】
2019526883.tif 000006
【図４ａ】
2019526883.tif 000007
【図４ｂ】
2019526883.tif 000008
【図５】
2019526883.tif 000009
【図６ａ】
2019526883.tif 000010
【図６ｂ】
2019526883.tif 000011
【図７】
2019526883.tif 000012
【図８】
2019526883.tif 000013
【図９】
2019526883.tif 000014
【図１０】
2019526883.tif 000015
【図１１ａ】
2019526883.tif 000016
【図１１ｂ】
2019526883.tif 000017
【図１１ｃ】
2019526883.tif 000018
【図１１ｄ】
2019526883.tif 000019
【図１２】
2019526883.tif 000020
【図１３】
2019526883.tif 000021
【図１４】
2019526883.tif 000022
【図１５】
2019526883.tif 000023
【図１６】
2019526883.tif 000024
【図１７】
2019526883.tif 000025
【図１８】
2019526883.tif 000026
【国際調査報告】
2019526883.tif 000027
2019526883.tif 000028
2019526883.tif 000029
2019526883.tif 000030